(57)【要約】      （修正有）【課題】多機能オーブンを提供する。【解決手段】多機能オーブン１００は、第一箱体１１０と、第二箱体１２０と、二つの加熱チューブ１３０と、二つの制御ボタン１４０と、を含む。第二箱体１２０は、第一箱体１１０に回転可能に接続される。二つの加熱チューブ１３０は、第一箱体１１０と第二箱体１２０内にそれぞれ配置される。二つの制御ボタン１４０は、第一箱体１１０に配置され、それぞれ二つの加熱チューブ１３０に電気的に接続される。第一箱体１１０と第二箱体１２０を積み重ねる場合、焼き空間ＢＳが構成され、二つの加熱チューブ１３０は、焼き空間ＢＳの内に位置し、互いに離間して配置される。第一箱体１１０と第二箱体１２０を展開する場合、二つの加熱チューブ１３０は、水平に配列される。【選択図】図１Ｂ
0003219684.tif 000002
【実用新案登録請求の範囲】
【請求項１】
第一箱体と、
前記第一箱体に回転可能に接続される第二箱体と、
前記第一箱体と前記第二箱体内にそれぞれ配置される二つの加熱チューブと、
前記第一箱体に配置され、それぞれ二つの前記加熱チューブに電気的に接続される二つの制御ボタンと、を含み、
前記第一箱体と前記第二箱体を積み重ねる場合、焼き空間が構成され、二つの前記加熱チューブは、前記焼き空間の内に位置し、互いに離間して配置され、前記第一箱体と前記第二箱体を展開する場合、二つの前記加熱チューブは、水平に配列される多機能オーブン。
【請求項２】
前記第一箱体と前記第二箱体を展開する最大角度は１８０度である請求項１に記載の多機能オーブン。
【請求項３】
前記第一箱体は、前記第一箱体内に配置されると共に、前記第一箱体内の前記加熱チューブ上方に位置する第一搭載部品を有する請求項１に記載の多機能オーブン。
【請求項４】
第二搭載部品をさらに含み、前記第一箱体と前記第二箱体を展開する場合、前記第二搭載部品は、前記第二箱体内に配置されると共に、前記第二箱体内の前記加熱チューブ上方に位置する請求項３に記載の多機能オーブン。
【請求項５】
前記第二箱体内の前記加熱チューブと前記第二搭載部品との間隔は、前記第一箱体内の前記加熱チューブと前記第一搭載部品との間隔より小さい請求項４に記載の多機能オーブン。
【請求項６】
前記第二箱体は、前記第二箱体の外側面に相対して配置される二つの持ち手を有する請求項１に記載の多機能オーブン。
【請求項７】
前記第二箱体は、透明部を有する請求項１に記載の多機能オーブン。
【請求項８】
前記第一箱体は、前記第一箱体の底面の複数の隅角にそれぞれ配置される複数の支持部を有する請求項１に記載の多機能オーブン。
【請求項９】
前記第一箱体の二つの前記制御ボタンと反対する外側面に第一ピボット部を有し、前記第二箱体は、第二ピボット部を有し、前記第一ピボット部と前記第二ピボット部は、回転可能に接続されることにより、前記第一箱体と前記第二箱体を積み重ねたり展開したりさせる請求項１に記載の多機能オーブン。
【考案の詳細な説明】
【技術分野】
【０００１】
本考案は、オーブンに関するものであり、特に、様々な用途を有する多機能オーブンに関する。
【背景技術】
【０００２】
オーブンは、熱空気によって、食品を調理する装置であり、大まかに、密閉型又は半密閉型に分けられ、半密閉型で加熱する方法は、バーベキューと称する。現在市場にある家庭用オーブンのほとんどがフロントカバー式の密閉構造を採用しており、フロントカバーを開けて食品を置いたり取り出したりする。現在のオーブンは、密閉状態でしか食品を焼けず、オーブンの用途は限られている。また、現在のオーブンは、通常、加熱チューブを底部に取り付けており、食品を調理する時、不均一に焼ける状況が生じる可能性があり、手動で反転しないと、均一に焼く目的を達成できない。
【考案の概要】
【考案が解決しようとする課題】
【０００３】
本考案は、多機能オーブンを開発し、密閉焼きに限らず、食品を均一に焼く目的を達成できる。
【課題を解決するための手段】
【０００４】
本考案は、密閉型焼きモードと開放型バーベキューモードを切り換えることができ、密閉型焼きモードの時、食品を均一に加熱でき、外力の調整を必要としない多機能オーブンを提供する。
【０００５】
本考案の多機能オーブンは、第一箱体と、第二箱体と、二つの加熱チューブと、二つの制御ボタンと、を含む。第二箱体は、第一箱体に回転可能に接続される。二つの加熱チューブは、第一箱体と第二箱体内にそれぞれ配置される。二つの制御ボタンは、第一箱体に配置され、それぞれ二つの加熱チューブに電気的に接続される。第一箱体と第二箱体を積み重ねる場合、焼き空間が構成され、二つの加熱チューブは、焼き空間内に位置し、互いに離間して配置される。第一箱体と第二箱体を展開する場合、二つの加熱チューブは、水平に配列される。
【考案の効果】
【０００６】
上記に基づき、本考案の多機能オーブンは、食品を焼くのに適用され、回転接続される第一箱体と第二箱体を有し、第一箱体と第二箱体を積み重ねる場合、焼きモードを形成し、二つの加熱チューブは焼き空間に対向して設置され、食品の両面を焼いて、食品を均一に加熱して、人による反転を回避する。第一箱体と第二箱体を展開する場合、バーベキューモードを形成でき、第一箱体と第二箱体は、それぞれ食品を置いて、二つの加熱チューブによって調理でき、食品を調理する面積を増やす。
【０００７】
本考案の上述した特徴と利点を更に明確化するために、以下、幾つかの実施形態を挙げて図面と共に詳細な内容を説明する。
【図面の簡単な説明】
【０００８】
【図１Ａ】本考案の実施形態における多機能オーブンの焼きモードの立体模式図である。
【図１Ｂ】図１Ａの多機能オーブンのバーベキューモードの立体模式図である。
【図１Ｃ】図１Ｂの多機能オーブンのトレイを配置した立体模式図である。
【図２Ａ】図１Ａの多機能オーブンの一部の部材の透視模式図である。
【図２Ｂ】図１Ｃの多機能オーブンの一部の部材の透視模式図である。
【考案を実施するための形態】
【０００９】
図１Ａは、本考案の実施形態における多機能オーブンの焼きモードの立体模式図である。図１Ｂは、図１Ａの多機能オーブンのバーベキューモードの立体模式図である。図１Ｃは、図１Ｂの多機能オーブンのトレイを配置した立体模式図である。図２Ａは、図１Ａの多機能オーブンの一部の部材の透視模式図である。図２Ｂは、図１Ｃの多機能オーブンの一部の部材の透視模式図である。
【００１０】
図１Ａ及び図１Ｂを参照すると、本実施形態における多機能オーブン１００は、様々な調理モードを備え、焼くまたはバーベキュー等の方式で食品を調理でき、さらに、多機能オーブンの食品調理面積を増やし、食品の加熱均一性を上げる効果を備える。
【００１１】
本実施形態における多機能オーブン１００は、第一箱体１１０と、第二箱体１２０と、二つの加熱チューブ１３０と、二つの制御ボタン１４０と、を含む。第二箱体１２０は、第一箱体１１０に回転可能に接続されることにより、第一箱体１１０と第二箱体１２０を軸方向ＡＤに沿って相対的に旋回させることができる。
【００１２】
二つの加熱チューブ１３０は、第一箱体１１０と第二箱体１２０内にそれぞれ配置される。本実施形態において、加熱チューブ１３０は、例えば、熱電対を採用し、加熱チューブ１３０は、外部電圧を印加される時、温度差を生じ、且つ、外部電圧は大きいほど生じる温度差も大きくなり、加熱する目的を達成する。
【００１３】
二つの制御ボタン１４０は、第一箱体１１０の外側面ＯＳ１に配置され、それぞれ二つの加熱チューブ１３０に電気的に接続される。本実施形態において、二つの制御ボタン１４０は、それぞれ二つの加熱チューブ１３０に印加する外部電圧値を制御して、各加熱チューブ１３０が放出する熱エネルギーを調整することができる。
【００１４】
詳細には、図１Ａ及び図２Ａを参考にすると、第一箱体１１０と第二箱体１２０を積み重ねる場合、第二箱体１２０が軸方向ＡＤに沿って第一箱体１１０に対して反時計方向Ｄ１に旋回することにより、第二箱体１２０を第一箱体１１０上方に積み重ねて、焼きモードを形成する。それから、第一箱体１１０と第二箱体１２０の間に焼き空間ＢＳが構成され、二つの加熱チューブ１３０は、焼き空間ＢＳ内に位置し、互いに離間して配置される。
【００１５】
多機能オーブン１００は、焼きモードに切り換えられる時、第一箱体１１０は、第一箱体１１０内に配置されると共に、前記第一箱体１１０内の加熱チューブ１３０の上方に位置する第一搭載部品１１１を有する。第一搭載部品１１１は、例えば、食品２００を置くための焼き網である。食品２００を焼く時、第一搭載部品１１１は、二つの加熱チューブ１３０の上下両方向から加熱されて、食品２００を焼く時、均一な加熱の効果を達成でき、人による反転を必要としない。
【００１６】
図１Ｂ、１Ｃ及び図２Ｂを参考にすると、第一箱体１１０と第二箱体１２０を展開する時、第二箱体１２０が軸方向ＡＤに沿って第一箱体１１０に対して時計方向Ｄ２に旋回することにより、第二箱体１２０を第一箱体１１０の一側に並べて、バーベキューモードを形成する。ここで、第一箱体１１０と第二箱体１２０を展開する最大角度Ａは１８０度であり、二つの加熱チューブ１３０は、水平に配列される。
【００１７】
多機能オーブン１００は、バーベキューモードに切り換えられる時、第二箱体１２０は、第二箱体１２０内に配置されると共に、前記第二箱体１２０内の加熱チューブ１３０上方に位置する第二搭載部品１２１を有する。第二搭載部品１２１は、例えば、食品２００を置いてバーベキューするためのトレイであり、また、第一箱体１１０に第一搭載部品１１１が配置されることから、第一箱体１１０と第二箱体１２０に、二つの水平に配列された加熱チューブ１３０によって二つの領域（第一搭載部品１１１、第二搭載部品１２１）の食品２００を同時にバーベキューさせる。二つの領域の食品２００をバーベキューする時、第一搭載部品１１１と第二搭載部品１２１は、それぞれ二つの加熱チューブ１３０によって加熱されるため、食品の調理面積を２倍に増やす。
【００１８】
さらに、第二箱体１２０内の加熱チューブ１３０と第二搭載部品１２１との間隔Ｌ１は、第一箱体１１０内の加熱チューブ１３０と第一搭載部品１１１との間隔Ｌ２より小さい。ここで、第二搭載部品１２１は、調理空間を有するオーブントレイであり、加熱しやすいように、加熱チューブ１３０に近づける必要がある。第一搭載部品１１１は、中空の焼き網であり、食品の焼きモード時の均一な加熱を確保するために、二つの加熱チューブ１３０の間に設置される。
【００１９】
その他の実施形態において、第二搭載部品１２１は、中空の焼き網を採用してもよく、使用者の需要に応じて決められる。
【００２０】
さらに、図２Ａ、２Ｂを参考にすると、第一箱体１１０の二つの制御ボタン１４０と反対する外側面ＯＳ１に第一ピボット部１１２を有する。第二箱体１２０は、第二ピボット部１２２を有する。第一ピボット部１１２と第二ピボット部１２２は、回転可能に接続されると共に、軸方向ＡＤに沿って旋回することにより、第一箱体１１０と第二箱体１２０を積み重ねたり展開したりさせることができる。
【００２１】
さらに、図１Ｂを参考にすると、第二箱体１２０は、二つの持ち手１２３を有し、二つの持ち手１２３は、第二箱体１２０の外側面ＯＳ２に相対して配置され、第二箱体１２０を第一箱体１１０に対して旋回させる。
【００２２】
さらに、第二箱体１２０は、制御ボタン１４０上方の外側面ＯＳ２に配置される透明部１２４を有し、多機能オーブン１００は、焼きモードに切り換えられる時、透明部１２４を介して食品２００の調理状態を観察できる。
【００２３】
さらに、第一箱体１１０の底面Ｂの複数の隅角に、支持するための複数の支持部１１３がそれぞれ配置される。
【００２４】
以上より、本考案の多機能オーブンは、食品を焼くのに適用され、回転接続される第一箱体と第二箱体を有するため、第一箱体と第二箱体を積み重ねる場合、焼きモードを形成し、二つの加熱チューブは焼き空間に対向して設置されることによって、食品の両面を焼いて、食品を均一に加熱することができ、人による反転を回避する。第一箱体と第二箱体を展開する場合、バーベキューモードを形成でき、第一箱体と第二箱体は、それぞれ食品を置いて、二つの加熱チューブによって調理でき、食品を調理する面積を増やす。
【００２５】
また、多機能オーブンは、バーベキューモードに切り換えられる時、二つの加熱チューブは、それぞれ焼き網及びオーブントレイと併用して、二つの領域の開放式で調理する使用モードを達成でき、前述の食品を調理する面積を増やす以外に、食品を直接味付けしたり、反転したりでき、多くの調理方法を行ってもよく、焼きやバーベキューに限らない。
【００２６】
本考案は実施形態によって上述のとおり開示したが、本考案を限定するためのものではなく、当業者が本考案の精神及び範囲から逸脱しない範囲において、変更又は修正することが可能であり、本考案の保護範囲は、後続の専利請求の範囲で限定するものを基準とする。
【産業上の利用可能性】
【００２７】
本考案は、密閉型焼きモードと開放型バーベキューモードを切り換えることができ、密閉型焼きモードの時、食品を均一に加熱でき、外力の調整を必要としない多機能オーブンを提供する。
【符号の説明】
【００２８】
１００：多機能オーブン
１１０：第一箱体
１１１：第一搭載部品
１１２：第一ピボット部
１１３：支持部
１２０：第二箱体
１２１：第二搭載部品
１２２：第二ピボット部
１２３：持ち手
１２４：透明部
１３０：加熱チューブ
１４０：制御ボタン
２００：食品
Ａ：角度
ＡＤ：軸方向
ＢＳ：焼き空間
Ｄ１：反時針方向
Ｄ２：時針方向
Ｌ１、Ｌ２：間隔
ＯＳ１、ＯＳ２：外側面
【図１Ａ】
0003219684.tif 000003
【図１Ｂ】
0003219684.tif 000004
【図１Ｃ】
0003219684.tif 000005
【図２Ａ】
0003219684.tif 000006
【図２Ｂ】
0003219684.tif 000007